(57)【要約】【課題】基板の製造公差を考慮しつつ、コネクタ内における基板の位置精度の向上を図ることのできるコネクタを提供すること。【解決手段】第１ガイド部２００Ｒに突出部２１４Ｒ、２２２Ｒ，２３２Ｒが設けられている。突出部２１４ＲはＹ方向内側に向かって突出している。突出部２１４Ｒは上部２２０Ｒ及び下部２３０Ｒから離れており、突出部２１４Ｒの上下には隙間が形成されている。突出部２２２Ｒ及び突出部２３２ＲはＺ方向内側に向かって突出している。突出部２２２Ｒ，２３２Ｒは側部２１０Ｒの側面２１２Ｒから離れており、突出部２２２Ｒ，２３２Ｒの横には隙間が形成されている。基板が製造公差内において大きいサイズを有する場合、突出部２１４Ｒ等の一部が部分的に対応する隙間に移動するようにして、突出部２１４Ｒ等が変形する。そのため、基板のサイズが大きい場合にも対応することができる。【選択図】図７
2015141796.tif 000002
【特許請求の範囲】
【請求項１】
後端を有するコネクタであって、前後方向に沿って前記後端側から挿入された基板と接続するコネクタにおいて、
複数のコンタクトと、前記コンタクトを保持する保持部材とを備えており、
前記保持部材は、前記前後方向と直交するピッチ方向において互いに離間して設けられた第１ガイド部と第２ガイド部とを有しており、
前記第１ガイド部及び前記第２ガイド部の夫々は、前記ピッチ方向と交差する側部と、前記前後方向及び前記ピッチ方向の双方と直交する上下方向と夫々交差する上部及び下部とを有しており、
前記側部には、前記ピッチ方向の内側に面している側面と、前記上部及び前記下部から離れていると共に前記側面から前記ピッチ方向の内側に向かって突出した第１突出部が設けられており、
前記上部及び前記下部の少なくとも一方には、前記側面から離れていると共に前記上下方向の内側に向かって突出した第２突出部が設けられている
コネクタ。
【請求項２】
請求項１記載のコネクタであって、
相手側コネクタと嵌合する嵌合部を前端側に有している、
コネクタ。
【請求項３】
請求項１又は請求項２記載のコネクタであって、
前記第２突出部は、前記上部及び前記下部の双方に設けられている
コネクタ。
【請求項４】
請求項１乃至請求項３のいずれかに記載のコネクタであって、
前記第１突出部及び前記第２突出部の夫々は、前記前後方向に長手を有するように延びている
コネクタ。
【請求項５】
請求項１乃至請求項４のいずれかに記載のコネクタであって、
前記前後方向及び前記上下方向で規定され、且つ、前記ピッチ方向において前記第１ガイド部の前記第１突出部と前記第２ガイド部の前記第１突出部との双方から等距離に位置する垂直面に対して、前記第１ガイド部の前記第１突出部と前記第２ガイド部の前記第１突出部又は前記第１ガイド部の前記第２突出部と前記第２ガイド部の前記第２突出部は、互いに非対称となるように配置されている
コネクタ。
【請求項６】
請求項５記載のコネクタであって、
前記第１ガイド部の前記第１突出部から前記コネクタの前記後端までの距離と前記第２ガイド部の前記第１突出部から前記コネクタの前記後端までの距離又は前記第１ガイド部の前記第２突出部から前記コネクタの前記後端までの距離と前記第２ガイド部の前記第２突出部から前記コネクタの前記後端までの距離は、互いに異なっている
コネクタ。
【請求項７】
請求項６記載のコネクタであって、
前記基板は、前記ピッチ方向の一端に前記前後方向及び前記ピッチ方向と斜交する挿入キーを有するものであり、
前記保持部材は、前記基板の誤った方向での挿入を防止するために前記挿入キーに対応して設けられた誤挿入防止部を有しており、
前記誤挿入防止部は、前記第２ガイド部よりも前記第１ガイド部に近く、
前記第１ガイド部の前記第１突出部から前記コネクタの前記後端までの距離は、前記第２ガイド部の前記第１突出部から前記コネクタの前記後端までの距離よりも短い
コネクタ。
【請求項８】
請求項１乃至請求項７のいずれかに記載のコネクタであって、
前記第１突出部は、前記上下方向において、前記側面のサイズの１／３以下のサイズを有している
コネクタ。
【請求項９】
請求項８記載のコネクタであって、
前記第１突出部及び前記第２突出部は、前記前後方向と直交する面内において、先細った形状を有している
コネクタ。
【請求項１０】
請求項１乃至請求項９記載のコネクタであって、
前記コンタクトは、前記基板の導電パッドに接触する接触部を有しており、
前記第１突出部及び前記第２突出部の端部は前記接触部よりも後方に位置している
コネクタ。
【発明の詳細な説明】
【技術分野】
【０００１】
本発明は、剛性基板と接続されるコネクタに関する。
【背景技術】
【０００２】
この種のコネクタとしては、例えば、特許文献１に開示されたものがある。図１８に示されるように、特許文献１のコネクタは、導電パッドを端部近傍に形成された基板と接続するカードエッジコネクタであり、コンタクトと、コンタクトを保持する保持部材を備えている。
【先行技術文献】
【特許文献】
【０００３】
【特許文献１】特開２０１３−９３４３３号公報，図５（従来例）
【発明の概要】
【発明が解決しようとする課題】
【０００４】
特許文献１のようなカードエッジコネクタの場合、コネクタのサイズ及び基板のサイズは、いずれも基板の製造公差と比較して十分に大きい。このようなコネクタにおいては、基板の製造公差を考慮してコネクタ内のサイズに余裕を持たせることが通常行われている。即ち、一般的なカードエッジコネクタにおいては、コネクタと基板とを接続した際に、基板の製造公差の範囲内で基板が移動することは問題視されない。
【０００５】
これに対して、例えば、狭いピッチのコンタクトとケーブルの芯線とを直接接続することができないために中継用の基板を用いる場合がある。この場合、コネクタ内における基板の位置決めは、基板の製造公差を十分に考慮しなければならないレベルとなる。しかしながら、基板の製造公差を小さくすることは困難である。
【０００６】
そこで、本発明は、基板の製造公差を考慮しつつ、コネクタ内における基板の位置精度の向上を図ることのできるコネクタを提供することを目的とする。
【課題を解決するための手段】
【０００７】
本発明は、第１のコネクタとして、
後端を有するコネクタであって、前後方向に沿って前記後端側から挿入された基板と接続するコネクタにおいて、
複数のコンタクトと、前記コンタクトを保持する保持部材とを備えており、
前記保持部材は、前記前後方向と直交するピッチ方向において互いに離間して設けられた第１ガイド部と第２ガイド部とを有しており、
前記第１ガイド部及び前記第２ガイド部の夫々は、前記ピッチ方向と交差する側部と、前記前後方向及び前記ピッチ方向の双方と直交する上下方向と夫々交差する上部及び下部とを有しており、
前記側部には、前記ピッチ方向の内側に面している側面と、前記上部及び前記下部から離れていると共に前記側面から前記ピッチ方向の内側に向かって突出した第１突出部が設けられており、
前記上部及び前記下部の少なくとも一方には、前記側面から離れていると共に前記上下方向の内側に向かって突出した第２突出部が設けられている
コネクタを提供する。
【０００８】
また、本発明は、第２のコネクタとして、第１のコネクタであって、
相手側コネクタと嵌合する嵌合部を前端側に有している、
コネクタを提供する。
【０００９】
また、本発明は、第３のコネクタとして、第１又は第２のコネクタであって、
前記第２突出部は、前記上部及び前記下部の双方に設けられている
コネクタを提供する。
【００１０】
また、本発明は、第４のコネクタとして、第１乃至第３のいずれかのコネクタであって、
前記第１突出部及び前記第２突出部の夫々は、前記前後方向に長手を有するように延びている
コネクタを提供する。
【００１１】
また、本発明は、第５のコネクタとして、第１乃至第４のいずれかのコネクタであって、
前記前後方向及び前記上下方向で規定され、且つ、前記ピッチ方向において前記第１ガイド部の前記第１突出部と前記第２ガイド部の前記第１突出部との双方から等距離に位置する垂直面に対して、前記第１ガイド部の前記第１突出部と前記第２ガイド部の前記第１突出部又は前記第１ガイド部の前記第２突出部と前記第２ガイド部の前記第２突出部は、互いに非対称となるように配置されている
コネクタを提供する。
【００１２】
また、本発明は、第６のコネクタとして、第５のコネクタであって、
前記第１ガイド部の前記第１突出部から前記コネクタの前記後端までの距離と前記第２ガイド部の前記第１突出部から前記コネクタの前記後端までの距離又は前記第１ガイド部の前記第２突出部から前記コネクタの前記後端までの距離と前記第２ガイド部の前記第２突出部から前記コネクタの前記後端までの距離は、互いに異なっている
コネクタを提供する。
【００１３】
また、本発明は、第７のコネクタとして、第６のコネクタであって、
前記基板は、前記ピッチ方向の一端に前記前後方向及び前記ピッチ方向と斜交する挿入キーを有するものであり、
前記保持部材は、前記基板の誤った方向での挿入を防止するために前記挿入キーに対応して設けられた誤挿入防止部を有しており、
前記誤挿入防止部は、前記第２ガイド部よりも前記第１ガイド部に近く、
前記第１ガイド部の前記第１突出部から前記コネクタの前記後端までの距離は、前記第２ガイド部の前記第１突出部から前記コネクタの前記後端までの距離よりも短い
コネクタを提供する。
【００１４】
また、本発明は、第８のコネクタとして、第１乃至第７のいずれかのコネクタであって、
前記第１突出部は、前記上下方向において、前記側面のサイズの１／３以下のサイズを有している
コネクタを提供する。
【００１５】
また、本発明は、第９のコネクタとして、第８のコネクタであって、
前記第１突出部及び前記第２突出部は、前記前後方向と直交する面内において、先細った形状を有している
コネクタを提供する。
【００１６】
また、本発明は、第１０のコネクタとして、第１乃至第９のいずれかのコネクタであって、
前記コンタクトは、前記基板の導電パッドに接触する接触部を有しており、
前記第１突出部及び前記第２突出部の端部は前記接触部よりも後方に位置している
コネクタを提供する。
【発明の効果】
【００１７】
第１突出部と第２突出部とが設けられていることから、それらが設けられていない場合と比較してコネクタ内における基板の移動を制限することができる。
【００１８】
加えて、仮に基板のサイズが大きく第１突出部や第２突出部に当たってしまう場合であっても、第１突出部と上部及び下部の間に隙間があると共に第２突出部と側面との間に隙間があることから、基板のサイズに合わせて第１突出部や第２突出部が変形し且つ変形した部分が隙間に移動することができる。換言すると、製造公差が最大の場合であっても、第１突出部や第２突出部の変形によって製造公差を吸収することができる。従って、コネクタ内における基板の位置精度を高めることができる。
【図面の簡単な説明】
【００１９】
【図１】本発明の実施の形態によるコネクタを示す正面斜視図である。
【図２】図１のコネクタを示す背面斜視図である。
【図３】図１のコネクタを示す他の背面斜視図である。
【図４】図１のコネクタを示す背面図である。
【図５】図１のコネクタを示す分解斜視図である。
【図６】図４のコネクタをVI--VI線に沿って示す断面図である。
【図７】図２のコネクタの第１ガイド部及びその周辺を示す拡大斜視図である。
【図８】図４のコネクタの第１ガイド部及びその周辺を示す拡大背面図である。
【図９】図３のコネクタの第２ガイド部及びその周辺を示す拡大斜視図である。
【図１０】図４のコネクタの第２ガイド部及びその周辺を示す拡大背面図である。
【図１１】図１のコネクタと基板とを示す上面図である。コネクタは部分的に切り欠かれている。基板は、第２ガイド部側にズレた状態でコネクタに挿入されようとしている。
【図１２】図１１に続く状態を示す上面図と、その一部を示す拡大図である。
【図１３】図１２に続く状態を示す上面図と、その一部を示す拡大図である。
【図１４】図１のコネクタに対して基板が挿入された状態を示す上面図である。コネクタは部分的に切り欠かれている。
【図１５】図１のコネクタと基板とを示す上面図である。コネクタは部分的に切り欠かれている。基板は、第１ガイド部側にズレた状態でコネクタに挿入されようとしている。
【図１６】図１５に続く状態を示す上面図と、その一部を示す拡大図である。
【図１７】図１６に続く状態を示す上面図と、その一部を示す拡大図である。
【図１８】図１８（Ａ）は特許文献１のコネクタを示す図である。図１８（Ｂ）は図１８（Ａ）のコンタクトと導電パッドの配置を示す図である。
【発明を実施するための形態】
【００２０】
図１乃至図５を参照すると、本発明の実施の形態によるコネクタ１００は、導電体からなる複数の上側コンタクト（コンタクト）１２０，１２０Ｐと、導電体からなる複数の下側コンタクト（コンタクト）１３０，１３０Ｐと、絶縁体からなる保持部材１４０と、金属製のシェル３００とを備えている。シェル３００は、保持部材１４０を部分的に覆っている。
【００２１】
本実施の形態によるコネクタ１００は、前端１０２に相手側コネクタ（図示せず）との嵌合部１１０を有している。更に、図１１や図１５から理解されるように、コネクタ１００の後端１０４側には、基板４００が接続される。本実施の形態の基板４００は、ケーブル（図示せず）の芯線（図示せず）を上側コンタクト１２０，１２０Ｐや下側コンタクト（コンタクト）１３０，１３０Ｐに接続するための中継基板である。本実施の形態の基板４００は、端部４１０の近傍に形成された複数の導電パッド４２０を有している。端部４１０のＹ方向（ピッチ方向）の一端には、Ｘ方向（前後方向）及びＹ方向と斜交する挿入キー４３０が形成されている。端部４１０のＹ方向（ピッチ方向）の他端には面取り部４４０が形成されている。
【００２２】
図５に示されるように、上側コンタクト１２０は、夫々、前側接触部１２２と後側接触部（接触部）１２４とを有している。上側コンタクト１２０Ｐは電源コンタクトであり、上側コンタクト１２０と比較して幅広である。本実施の形態の上側コンタクト１２０Ｐは、３つの前側接触部１２２と１つの後側接触部１２４とを有している。上側コンタクト１２０Ｐの前側接触部１２２は、上側コンタクト１２０の前側接触部１２２と同じサイズを有している。一方、上側コンタクト１２０Ｐの後側接触部１２４は、上側コンタクト１２０の後側接触部１２４よりも幅広である。前側接触部１２２は、相手側コネクタ（図示せず）の接触部（図示せず）と接続される部位であり、後側接触部１２４は、基板４００の導電パッド４２０と接続される部位である（図１１参照）。
【００２３】
同様に、下側コンタクト１３０は、夫々、前側接触部１３２と後側接触部（接触部）１３４とを有している。下側コンタクト１３０Ｐは電源コンタクトであり、下側コンタクト１３０と比較して幅広である。本実施の形態の下側コンタクト１３０Ｐは、３つの前側接触部１３２と１つの後側接触部１３４とを有している。下側コンタクト１３０Ｐの前側接触部１３２は、下側コンタクト１３０の前側接触部１３２と同じサイズを有している。一方、下側コンタクト１３０Ｐの後側接触部１３４は、下側コンタクト１３０の後側接触部１３４よりも幅広である。前側接触部１３２は、相手側コネクタ（図示せず）の接触部（図示せず）と接続される部位であり、後側接触部１３４は、基板４００の導電パッド４２０と接続される部位である（図１１参照）。
【００２４】
図５に示されるように、保持部材１４０は、保持部１５０と、保持部１５０から−Ｘ方向（後方）に延びる２つの後方アーム１６０Ｒ，１６０Ｌとを有している。本実施の形態の保持部材１４０は、樹脂成型品である。図６に示されるように、保持部材１４０には、更に誤挿入防止部１５２が形成されている。誤挿入防止部１５２は、基板４００の挿入キー４３０（図１１参照）に対応する斜めの形状を有しており、保持部１５０と後方アーム１６０Ｒとの境界近傍に位置している。基板４００が表裏逆の状態で挿入されると、誤挿入防止部１５２に面取り部４４０が突き当たり、基板４００をコネクタ１００に対して完全に接続することができない。このように、挿入キー４３０と誤挿入防止部１５２は、基板４００の誤挿入を防止することができる。
【００２５】
図１乃至図５から理解されるように、保持部１５０は、上側コンタクト１２０，１２０Ｐと下側コンタクト１３０，１３０Ｐを保持している。この保持により、図２乃至図４に示されるように、上側コンタクト１２０は、Ｙ方向において、２つの上側コンタクト１２０Ｐの間に位置しており、下側コンタクト１３０は、Ｙ方向において、２つの下側コンタクト１３０Ｐの間に位置している。また、上側コンタクト１２０，１２０Ｐと下側コンタクト１３０，１３０Ｐとは、対応付けられており、且つ、対応する上側コンタクト１２０，１２０Ｐと下側コンタクト１３０，１３０Ｐから等距離にあるＸＹ平面に関して鏡像配置されている。詳しくは、図１及び図５から理解されるように、前側接触部１２２及び前側接触部１３２は嵌合部１１０内（より具体的には、保持部１５０内）に位置しており、また、図２乃至図４に示されるように、後側接触部１２４及び後側接触部１３４は保持部材１４０の保持部１５０から後方に突出している。
【００２６】
図２乃至図４に示されるように、後方アーム１６０Ｒ，１６０Ｌは、Ｙ方向において離れて位置している。図２乃至図４及び図６から理解されるように、後側接触部１２４及び後側接触部１３４は、Ｙ方向において、後方アーム１６０Ｒ，１６０Ｌの間に位置している。
【００２７】
図２乃至図４及び図６に示されるように、後方アーム１６０Ｒには、第１ガイド部２００Ｒが形成されており、後方アーム１６０Ｌには、第２ガイド部２００Ｌが形成されている。即ち、第１ガイド部２００Ｒと第２ガイド部２００ＬはＹ方向において離間して設けられている。図６から理解されるように、誤挿入防止部１５２は、第２ガイド部２００Ｌよりも第１ガイド部２００Ｒに近い。換言すると、誤挿入防止部１５２と第１ガイド部２００Ｒとの間の距離は、誤挿入防止部１５２と第２ガイド部２００Ｌとの間の距離よりも短い。
【００２８】
図１３から理解されるように、第１ガイド部２００Ｒ及び第２ガイド部２００Ｌは、基板４００のコネクタ１００内への挿入をガイドするためのものであるだけでなく、基板４００の製造公差を考慮したレベルでの基板４００のコネクタ１００内における位置決めも行う。特に、本実施の形態の第１ガイド部２００Ｒ及び第２ガイド部２００Ｌは、後述するように、基板４００が製造公差内において所定サイズ以上のサイズを有している場合に基板４００の保持も行う。
【００２９】
詳しくは、図７及び図８に示されるように、第１ガイド部２００Ｒは、側部２１０Ｒと、上部２２０Ｒと、下部２３０Ｒとを有しており、ＹＺ平面内（即ち、前後方向と直交する面内）において、概略、角張ったＣ字状の形状を有している。換言すると、上部２２０Ｒと下部２３０Ｒは、側部２１０ＲのＺ方向（上下方向）の両端からＹ方向の内側に向かって突出しており、且つ、Ｚ方向において対向している。側部２１０Ｒには、Ｙ方向の内側に面している側面２１２Ｒと、側面２１２ＲからＹ方向の内側に向かって突出した突出部（第１突出部）２１４Ｒとが設けられている。突出部２１４Ｒは、上部２２０Ｒと下部２３０Ｒから離れて位置している。即ち、突出部２１４Ｒと上部２２０Ｒとの間には隙間又は空間が存在しており、且つ、突出部２１４Ｒと下部２３０Ｒとの間にも隙間が存在している。上部２２０Ｒには、−Ｚ方向（下方）に突出した（即ち、Ｚ方向の内側に向かって突出した）突出部（第２突出部）２２２Ｒが設けられている。突出部２２２Ｒは、側面２１２Ｒから離れて位置している。即ち、突出部２２２Ｒと側面２１２Ｒとの間には隙間又は空間が存在している。同様に、下部２３０Ｒには、＋Ｚ方向（上方）に突出した（即ち、Ｚ方向の内側に向かって突出した）突出部（第２突出部）２３２Ｒが設けられている。突出部２３２Ｒは、側面２１２Ｒから離れて位置している。即ち、突出部２３２Ｒと側面２１２Ｒとの間には隙間又は空間が存在している。
【００３０】
図９及び図１０に示されるように、第２ガイド部２００Ｌは、側部２１０Ｌと、上部２２０Ｌと、下部２３０Ｌとを有しており、ＹＺ平面内において、概略、角張ったＣ字状の形状を有している。換言すると、上部２２０Ｌと下部２３０Ｌは、側部２１０ＬのＺ方向の両端からＹ方向の内側に向かって突出しており、且つ、Ｚ方向において対向している。側部２１０Ｌには、Ｙ方向の内側に面している側面２１２Ｌと、側面２１２ＬからＹ方向の内側に向かって突出した突出部（第１突出部）２１４Ｌとが設けられている。突出部２１４Ｌは、上部２２０Ｌと下部２３０Ｌから離れて位置している。即ち、突出部２１４Ｌと上部２２０Ｌとの間には隙間又は空間が存在しており、且つ、突出部２１４Ｌと下部２３０Ｌとの間にも隙間が存在している。上部２２０Ｌには、−Ｚ方向に突出した突出部（第２突出部）２２２Ｌが設けられている。突出部２２２Ｌは、側面２１２Ｌから離れて位置している。即ち、突出部２２２Ｌと側面２１２Ｌとの間には隙間又は空間が存在している。同様に、下部２３０Ｌには、＋Ｚ方向に突出した突出部（第２突出部）２３２Ｌが設けられている。突出部２３２Ｌは、側面２１２Ｌから離れて位置している。即ち、突出部２３２Ｌと側面２１２Ｌとの間には隙間又は空間が存在している。
【００３１】
本実施の形態の保持部材１４０は、前後に分割される２つの金型を用いて形成されたものであることから、突出部２１４Ｒ，２２２Ｒ，２３２Ｒ，２１４Ｌ，２２２Ｌ，２３２Ｌは、夫々、Ｘ方向（前後方向）に長手を有している。しかしながら、本発明はこれに限定されるわけではない。例えば、突出部２１４Ｒ，２２２Ｒ，２３２Ｒ，２１４Ｌ，２２２Ｌ，２３２Ｌは、夫々、複数の凸部から形成されていてもよいし、Ｘ方向における長さに関して、より短いものであってもよい。
【００３２】
図８及び図１０に示されるように、突出部２１４Ｒ，２１４Ｌは、夫々、Ｚ方向において、側面２１２Ｒ，２１２Ｌのサイズの１／３以下のサイズを有している。即ち、突出部２１４Ｒ，２１４Ｌはいずれも細い。同様に、突出部２２２Ｒ，２２２Ｌ，２３２Ｒ，２３２Ｌの夫々のＹ方向におけるサイズは、突出部２１４Ｒ，２１４ＬのＺ方向におけるサイズとほぼ等しい。即ち、突出部２２２Ｒ，２２２Ｌ，２３２Ｒ，２３２Ｌもまた細い。更に、本実施の形態の突出部２１４Ｒ，２１４Ｌ，２２２Ｒ，２２２Ｌ，２３２Ｒ，２３２Ｌは、ＹＺ平面内において、いずれも先細った形状を有している。
【００３３】
突出部２１４Ｒ，２１４Ｌ，２２２Ｒ，２２２Ｌ，２３２Ｒ，２３２Ｌが設けられていることから、突出部２１４Ｒ，２１４Ｌ，２２２Ｒ，２２２Ｌ，２３２Ｒ，２３２Ｌが設けられていない場合と比較して、基板４００のコネクタ１００内における位置が制限される（図１３参照）。即ち、本実施の形態のコネクタ１００においては、基板４００のコネクタ１００内における位置精度を高めることができる。突出部２１４Ｒ，２１４Ｌ，２２２Ｒ，２２２Ｌ，２３２Ｒ，２３２Ｌを設けなかった場合、基板４００のサイズが製造公差の範囲内において大きいものであったとすると、基板４００が第１ガイド部２００Ｒや第２ガイド部２００Ｌの内面に擦れて基板４００をコネクタ１００内に挿入できない可能性がある。これに対して、本実施の形態によれば、突出部２１４Ｒ，２１４Ｌと上部２２０Ｒ，２２０Ｌや下部２３０Ｒ，２３０Ｌとの間に隙間又は空間が設けられており、同様に、突出部２２２Ｒ，２２２Ｌ，２３２Ｒ，２３２Ｌと側面２１２Ｒ，２１２Ｌとの間に隙間又は空間が設けられていることから、基板４００のサイズが大きいものであった場合には突出部２１４Ｒ，２１４Ｌ，２２２Ｒ，２２２Ｌ，２３２Ｒ，２３２Ｌが隙間又は空間内に部分的に移動するように変形する。従って、基板４００のサイズが製造公差の範囲内において大きいものであった場合であっても、基板４００をコネクタ１００内に挿入することができる。また、突出部２１４Ｒ，２１４Ｌ，２２２Ｒ，２２２Ｌ，２３２Ｒ，２３２Ｌが変形した状態で基板４００がコネクタ１００内に挿入された場合、基板４００は突出部２１４Ｒ，２１４Ｌ，２２２Ｒ，２２２Ｌ，２３２Ｒ，２３２Ｌによって保持されている。従って、基板４００のコネクタ１００内における位置決めをより確実に行うことができる。
【００３４】
特に、本実施の形態の突出部２１４Ｒ，２１４Ｌ，２２２Ｒ，２２２Ｌ，２３２Ｒ，２３２Ｌは、上述したように、いずれも細く、側面２１２Ｒ，２１２ＬのＺ方向のサイズの１／３以下のサイズを有していることから、基板４００のサイズが大きい場合に比較的変形し易い。従って、突出部２１４Ｒ，２１４Ｌ，２２２Ｒ，２２２Ｌ，２３２Ｒ，２３２Ｌに基板４００の位置決め機能を持たせる一方で、基板４００が大きい場合であってもコネクタ１００内に確実に挿入させることができる。
【００３５】
更に、本実施の形態の突出部２１４Ｒ，２１４Ｌ，２２２Ｒ，２２２Ｌ，２３２Ｒ，２３２Ｌは、ＹＺ平面内において、いずれも先細った形状を有していることから、基板４００のサイズが大きい場合に突出部２１４Ｒ，２１４Ｌ，２２２Ｒ，２２２Ｌ，２３２Ｒ，２３２Ｌの変形量を基板４００の受け入れに必要な量だけとすることができる。
【００３６】
本実施の形態において、側面２１２Ｒから側面２１２Ｌまでの距離は、基板４００の製造公差内における最大のサイズを考慮して決められており、突出部２１４Ｒから突出部２１４Ｌまでの距離は、基板４００の製造公差内における最小のサイズを考慮して決められている。例えば、突出部２１４Ｒから突出部２１４Ｌまでの距離が基板４００の製造公差内における最小のサイズと等しい場合、基板４００のコネクタ１００への挿入によって突出部２１４Ｒ及び突出部２１４Ｌは変形し、それによって基板４００は変形した突出部２１４Ｒ及び突出部２１４Ｌに挟み込まれるようにして保持される。また、例えば、突出部２１４Ｒから突出部２１４Ｌまでの距離が基板４００の製造公差における基準値（ノミナルサイズ）と等しい場合、実際の基板４００のサイズが基準値より小さいと、基板４００のコネクタ１００への挿入の際、突出部２１４Ｒ及び突出部２１４Ｌは変形せずに基板４００の位置決めを行い、一方、実際の基板４００のサイズが基準値以上である場合には、基板４００コネクタ１００への挿入によって突出部２１４Ｒ及び突出部２１４Ｌが変形し、それによって基板４００は変形した突出部２１４Ｒ及び突出部２１４Ｌに挟み込まれるようにして保持される。
【００３７】
図７と図９とを比較すれば理解されるように、本実施の形態の第１ガイド部２００Ｒと第２ガイド部２００Ｌは、Ｙ方向において突出部２１４Ｒと突出部２１４Ｌとから等距離に位置するＸＺ平面（Ｘ方向とＺ方向で規定される面）に関して、互いに非対称な構造を有している。より具体的には、突出部２１４Ｒ，２２２Ｒ，２３２Ｒと突出部２１４Ｌ，２２２Ｌ，２３２Ｌとは、Ｙ方向において突出部２１４Ｒと突出部２１４Ｌとから等距離に位置するＸＺ平面に関して、互いに非対称となるように配置されている。
【００３８】
詳しくは、突出部２１４Ｒからコネクタ１００の後端１０４までの距離と突出部２１４Ｌからコネクタ１００の後端１０４までの距離とが互いに異なっており、突出部２２２Ｒからコネクタ１００の後端１０４までの距離と突出部２２２Ｌからコネクタ１００の後端１０４までの距離とが互いに異なっており、突出部２３２Ｒからコネクタ１００の後端１０４までの距離と突出部２３２Ｌからコネクタ１００の後端１０４までの距離とが互いに異なっている。これは、基板４００の端部４１０形状の非対称性に対応している（図１１参照）。
【００３９】
特に、図１１に示されるように、本実施の形態においては、基板４００の挿入キー４３０と面取り部４４０の形状に合わせて、第２ガイド部２００Ｌの突出部２１４Ｌ，２２２Ｌ，２３２Ｌの方が第１ガイド部２００Ｒの突出部２１４Ｒ，２２２Ｒ，２３２Ｒよりもコネクタ１００の後端１０４から離れている。基板４００の端部４１０の形状によっては、突出部２１４Ｒからコネクタ１００の後端１０４までの距離と突出部２１４Ｌからコネクタ１００の後端１０４までの距離とが同一であってもよいし、突出部２２２Ｒからコネクタ１００の後端１０４までの距離と突出部２２２Ｌからコネクタ１００の後端１０４までの距離や、突出部２３２Ｒからコネクタ１００の後端１０４までの距離と突出部２３２Ｌからコネクタ１００の後端１０４までの距離が同一であってもよい。
【００４０】
このように、本実施の形態の突出部２１４Ｒ，２１４Ｌ，２２２Ｒ，２２２Ｌ，２３２Ｒ，２３２Ｌは、基板４００の形状を考慮した非対称性を有していることから、基板４００のコネクタ１００への挿入時に両者の相対位置がＹ方向においてズレていたとしても位置補正を行うことができる。
【００４１】
例えば、図１１に示されるように、基板４００が第２ガイド部２００Ｌ側にズレた状態でコネクタ１００に挿入された場合、図１２に示されるように、面取り部４４０が第２ガイド部２００Ｌの突出部２１４Ｌに当たり、それによって基板４００は＋Ｙ方向へ移動させられる。このとき、面取り部４４０は、第２ガイド部２００Ｌの上下の突出部２２２Ｌ，２３２Ｌには接触していない。従って、面取り部４４０が挿入キー４３０と比較して極端に＋Ｘ方向に移動し難くなることはない。換言すると、基板４００の挿入のバランスが崩れ、面取り部４４０を支点にして基板４００がＸＹ平面内において回転してしまうことを避けることができる。このようにして、基板４００は、適切に＋Ｙ方向へ移動しつつ＋Ｘ方向に移動する（即ち、基板４００は、適切に並進移動する）。その後、図１３に示されるように、端部４１０が上下の突出部２２２Ｌ，２３２Ｌに接触し始めるころには、挿入キー４３０が第１ガイド部２００Ｒの突出部２１４Ｒ，２２２Ｒ，２３２Ｒに接触する。即ち、端部４１０が上下の突出部２２２Ｌ，２３２Ｌに接触し始めるころには、基板４００とコネクタ１００との位置ズレが補正されている。従って、図１４に示されるように、位置ズレが解消された状態で基板４００をコネクタ１００に接続することができる。
【００４２】
逆に、例えば、図１５に示されるように、基板４００が第１ガイド部２００Ｒ側にズレた状態でコネクタ１００に挿入された場合、図１６に示されるように、挿入キー４３０が第１ガイド部２００Ｒの突出部２１４Ｒに当たり、それによって基板４００は−Ｙ方向へ移動させられる。このとき、挿入キー４３０は、第１ガイド部２００Ｒの上下の突出部２２２Ｒ，２３２Ｒには接触していない。従って、挿入キー４３０が面取り部４４０と比較して極端に＋Ｘ方向に移動し難くなることはない。換言すると、挿入キー４３０を支点にして基板４００がＸＹ平面内において回転してしまうことを避けることができる。このようにして、基板４００は、適切に−Ｙ方向へ移動しつつ＋Ｘ方向に移動する（即ち、基板４００は、適切に並進移動する）。その後、図１７に示されるように、挿入キー４３０が上下の突出部２２２Ｒ，２３２Ｒに接触し始めるころには、面取り部４４０が第２ガイド部２００Ｌの突出部２１４Ｌに接触すると共に第２ガイド部２００Ｌの上下の突出部２２２Ｌ，２３２Ｌに接触する。即ち、挿入キー４３０が上下の突出部２２２Ｒ，２３２Ｒに接触し始めるころには、基板４００とコネクタ１００との位置ズレが補正されている。従って、図１４に示されるように、位置ズレが解消された状態で基板４００をコネクタ１００に適切に接続することができる。
【００４３】
なお、本実施の形態においては、図６から理解されるように、突出部２１４Ｒ，２１４Ｌ，２３２Ｒ，２３２Ｌ等の−Ｘ側端部（後端）が後側接触部１３４等よりも−Ｘ側（後方）に位置している。従って、たとえ基板４００とコネクタ１００との相対位置がＹ方向においてズレていた場合であっても、両者は上述したような位置補正がなされてから接続されることとなる。即ち、本実施の形態においては、位置補正が行われた後に後側接触部１２４と後側接触部１３４との間（図７や図９参照）に基板４００が挿入されることとなっている。換言すると、位置補正が行われるまで、基板４００に不要なストレスが加わらないように本実施の形態のコネクタ１００は設計されている。
【００４４】
以上、本発明について具体的な構造を提示して説明してきたが、本発明はこれに限定されるわけではない。
【００４５】
例えば、上述した実施の形態においては、第２突出部２２２Ｒ，２２２Ｌ，２３２Ｒ，２３２Ｌが上部２２０Ｒ，２２０Ｌと下部２３０Ｒ，２３０Ｌの両方から突出していたが、上部２２０Ｒ，２２０Ｌと下部２３０Ｒ，２３０Ｌの一方のみから突出していることとしてもよい。
【００４６】
なお、上述した実施の形態では後方アーム１６０Ｒ，１６０Ｌの後端がコネクタ１００の後端１０４であったが、本発明はこれに限定されない。例えば、後方アーム１６０Ｒと後方アーム１６０Ｌの長さが異なっている場合には、より後方へ突出している一方の後端がコネクタ１００の後端１０４となる。また、後方アーム１６０Ｒ，１６０Ｌよりも後方に位置する部分がある場合には、それをコネクタ１００の後端１０４としてもよい。後端１０４は、第１ガイド部２００Ｒと第２ガイド部２００Ｌとが非対称な構成を有している場合に、その非対称性の説明において基準として用いることができる部位であれば、如何なる部位であってもよい。
【符号の説明】
【００４７】
１００        コネクタ
１０２        前端
１０４        後端
１１０        嵌合部
１２０，１２０Ｐ        上側コンタクト（コンタクト）
１２２        前側接触部
１２４        後側接触部（接触部）
１３０，１３０Ｐ        下側コンタクト（コンタクト）
１３２        前側接触部
１３４        後側接触部（接触部）
１４０        保持部材
１５０        保持部
１５２        誤挿入防止部
１６０Ｒ，１６０Ｌ        後方アーム
２００Ｒ        第１ガイド部
２１０Ｒ        側部
２１２Ｒ        側面
２１４Ｒ        突出部（第１突出部）
２２０Ｒ        上部
２２２Ｒ        突出部（第２突出部）
２３０Ｒ        下部
２３２Ｒ        突出部（第２突出部）
２００Ｌ        第２ガイド部
２１０Ｌ        側部
２１２Ｌ        側面
２１４Ｌ        突出部（第１突出部）
２２０Ｌ        上部
２２２Ｌ        突出部（第２突出部）
２３０Ｌ        下部
２３２Ｌ        突出部（第２突出部）
３００        シェル
４００        基板
４１０        端部
４２０        導電パッド
４３０        挿入キー
４４０        面取り部
【図１】
2015141796.tif 000003
【図２】
2015141796.tif 000004
【図３】
2015141796.tif 000005
【図４】
2015141796.tif 000006
【図５】
2015141796.tif 000007
【図６】
2015141796.tif 000008
【図７】
2015141796.tif 000009
【図８】
2015141796.tif 000010
【図９】
2015141796.tif 000011
【図１０】
2015141796.tif 000012
【図１１】
2015141796.tif 000013
【図１２】
2015141796.tif 000014
【図１３】
2015141796.tif 000015
【図１４】
2015141796.tif 000016
【図１５】
2015141796.tif 000017
【図１６】
2015141796.tif 000018
【図１７】
2015141796.tif 000019
【図１８】
2015141796.tif 000020